(57)【要約】【課題】本発明は、着用による違和感が小さく、手の動きを比較的正確に検出できるデータグローブを提供することを課題とする。【解決手段】本発明のデータグローブは、手袋本体と、この手袋本体の第１指から第５指の少なくとも１指の背側の中手指節間関節近傍に相当する領域に配設される第１の歪センサ及び第２の歪センサを備え、この第１の歪センサが前記領域の近位遠位方向の伸縮を検出し、第２の歪センサが前記領域の左右方向の伸縮を検出するよう構成されているデータグローブである。前記第１の歪センサ及び第２の歪センサが交差するよう配設されているとよい。前記第１の歪センサ及び第２の歪センサの交差角が略垂直であるとよい。前記第１の歪センサ及び第２の歪センサの配設位置が第１指であるとよい。【選択図】図１
2016125931.tif 000002
【特許請求の範囲】
【請求項１】
手袋本体と、
この手袋本体の第１指から第５指の少なくとも１指の背側の中手指節間関節近傍に相当する領域に配設される第１の歪センサ及び第２の歪センサを備え、
この第１の歪センサが前記領域の近位遠位方向の伸縮を検出し、第２の歪センサが前記領域の左右方向の伸縮を検出するよう構成されているデータグローブ。
【請求項２】
前記第１の歪センサ及び第２の歪センサが交差するよう配設されている請求項１に記載のデータグローブ。
【請求項３】
前記第１の歪センサ及び第２の歪センサの交差角が略垂直である請求項２に記載のデータグローブ。
【請求項４】
前記第１の歪センサ及び第２の歪センサの配設位置が第１指である請求項１、請求項２又は請求項３に記載のデータグローブ。
【発明の詳細な説明】
【技術分野】
【０００１】
本発明は、データグローブに関する。
【背景技術】
【０００２】
人の手の指の動きを検出するために手袋に複数のセンサを配設したデータグローブが市販されている。市販のデータグローブは、通常、手の各関節に相当する部位に曲げセンサが配設され、関節の角度をリアルタイムに検出する。
【０００３】
このようなデータグローブは、ゲーム等に利用される仮想現実（バーチャルリアリティ）技術において手の動きを再現するだけでなく、例えばゴルフスイング等のスポーツ時やピアノ等の楽器演奏時における手の動きを科学的に解析するためにも利用することが検討されている。
【０００４】
特に、プロスポーツ選手やプロミュージシャンの手の動きを解析する場合、わずかな動きの違いが大きな意味を有することがある。しかしながら、従来のデータグローブでは、多数のセンサが配設されているデータグローブの着用による違和感によって通常通りの動きが再現できず、有効なデータが得られないことがある。
【０００５】
また、手袋にその生地の伸縮を検出するセンサを配設することによって、指の曲げ伸ばしを検出するデータグローブも提案されている（例えば特開２０００−３２９５１１号公報参照）。しかしながら、指の間接の中には、例えば第２指から第４指の中手指節間関節のように、背腹方向の曲げ伸ばしだけでなく、左右方向の搖動が可能な関節もある。従って、前記公報に記載のデータグローブでは、手の動きを正確に検出することができない。
【先行技術文献】
【特許文献】
【０００６】
【特許文献１】特開２０００−３２９５１１号公報
【発明の概要】
【発明が解決しようとする課題】
【０００７】
前記不都合に鑑みて、本発明は、着用による違和感が小さく、手の動きを比較的正確に検出できるデータグローブを提供することを課題とする。
【課題を解決するための手段】
【０００８】
前記課題を解決するためになされた発明は、手袋本体と、この手袋本体の第１指から第５指の少なくとも１指の背側の中手指節間関節近傍に相当する領域に配設される第１の歪センサ及び第２の歪センサを備え、この第１の歪センサが前記領域の近位遠位方向の伸縮を検出し、第２の歪センサが前記領域の左右方向の伸縮を検出するよう構成されているデータグローブである。なお、「背側」とは、関節の曲げ伸ばし方向外側を意味し、その反対側を「腹側」という。また、「中手指節間関節近傍」とは、中手指節間関節を形成する中手骨の中央から基節骨の中央までの領域を意味する。
【０００９】
当該データグローブは、第１指から第５指の少なくとも１指の中手指節間関節（ＭＰ関節：指の付け根の関節）の背側において手袋本体の２方向の伸びを測定することにより、その指の曲げ伸ばしと、左右方向の搖動とを検出することができる。従って、当該データグローブは、指の３次元の動きを比較的正確に検出することができる。
【００１０】
前記第１の歪センサ及び第２の歪センサが交差するよう配設されているとよい。このように、歪センサが交差するよう配設されることで、手袋本体の略同じ領域の異なる２方向の伸縮を検出することができ、指の動きをより正確に検出できる。
【００１１】
前記第１の歪センサ及び第２の歪センサの交差角が略垂直であるとよい。このように、第１の歪センサ及び第２の歪センサが略垂直に配置されることによって、背腹方向の曲げ伸ばしと左右方向の搖動とを比較的高精度に検出することができる。ここで、「略垂直」とは、両者の間の角度が６０°以上であることをいい、好ましくは８０°以上であることをいう。
【００１２】
前記第１の歪センサ及び第２の歪センサの配設位置が第１指（親指）であるとよい。このように、左右方向に搖動することが多い第１指の背腹方向の曲げ伸ばしと左右方向の搖動とを検出することによって、手の動きをより正確に把握することができる。
【発明の効果】
【００１３】
以上のように、本発明のデータグローブは、着用による違和感が少なく、手の動きを比較的正確に検出できる。
【図面の簡単な説明】
【００１４】
【図１】本発明の一実施形態のデータグローブを示す模式的平面図である。
【図２】図１のデータグローブを示す模式的裏面図である。
【図３】図１のデータグローブの着用状態を示す模式的斜視図である。
【図４】図１とは異なる実施形態のデータグローブを示す模式的平面図である。
【図５】図１及び図４とは異なる実施形態のデータグローブを示す模式的平面図である。
【発明を実施するための形態】
【００１５】
以下、適宜図面を参照しつつ、本発明の実施の形態を詳説する。
【００１６】
［第１実施形態］
図１乃至図３のデータグローブは、手袋本体１と、この手袋本体１に配設される第１の歪センサ２、第２の歪センサ３、４つの第３の歪センサ４、４つの第４の歪センサ５、及び２つの第５の歪センサ６と、手袋本体１に配設されるフレキシブルプリント回路板７と、手袋本体１に配設され、各歪センサ２，３，４，５、６とフレキシブルプリント回路板７とを接続する複数の配線８とを備える。
【００１７】
第１の歪センサ２及び第２の歪センサ３は、手袋本体１の第１指（親指）の背側の中手指節間関節（ＭＰ関節：指の付け根の関節）近傍に相当する領域の外面側に配設される。第３の歪センサ４は、手袋本体１の第２指から第５指（人差し指から小指）の背側の近位指節間関節（ＰＩＰ関節：指の第２関節）に相当する領域の外面側それぞれ配設される。第４の歪センサ５は、手袋本体１の第２指から第５指の背側の中手指節間関節（ＭＰ関節：指の付け根の関節）に相当する領域の外面側にそれぞれ配設される。第５の歪センサ６は、第２指及び第５指の腹側の基節骨に相当する領域の外面側にそれぞれ配設される。ここで、手袋本体１の「内面」とは、手袋本体１を着用したとき着用者の手に接する側の面をいい、着用時に外部に露出する側の面は「外面」という。
【００１８】
また、当該データグローブは、歪センサ２，３，４，５，６とそれぞれの配線８との接続を強化する剥離防止材９と、手袋本体１の近位指節間関節の間に相当する部分の内面側にそれぞれ近位遠位方向に延設される複数の防伸部１０と、手袋本体１の背側の内面側に、防伸部１０の間を接続するよう配設される接続部１１とをさらに備える。
【００１９】
＜手袋本体＞
手袋本体１は、着用者の手に着用可能な袋状に、より詳しくは着用者の５本の指を個別に収容する５つの指収容部を有する形状に形成される。この手袋本体１は、例えば掌及び５本の指の腹側部分を覆う腹側生地と、この腹側生地と略同形状で、手の甲及び５本の指の背側部分を覆う背側生地とを縫い合わせて形成される。
【００２０】
手袋本体１の材質としては、ニット、織物、不織布、ゴム、皮革等が挙げられるが、伸縮性を有するものが好ましく、中でもニットが特に好適に用いられる。
【００２１】
手袋本体１の５本の指収容部は、それぞれ着用者の指先、具体的には遠位指節間関節よりも遠位側部分を露出させるよう開口していることによって、指の曲げ伸ばしにより背側の生地の張力により指の曲げ伸ばしを阻害したり、着用者に違和感を与えることを防止している。また、指先を露出することで、指先を使った作業がし易くなり、楽器演奏等も違和感なく行うことができる。
【００２２】
また、図１のデータグローブの手袋本体１は、中手指節間関節に相当する部分の第４の歪センサ５よりも近位側の部分が、第４の歪センサ５の延長線上において左右方向（近位遠位方向と垂直方向）に延在するたるみ１ａを有する。具体的には、手袋本体１は、背側生地が腹側生地と接合される際に、手の甲の手首寄りの部分をひだ寄せするようギャザー又はタックを形成するよう縫い縮められている。
【００２３】
このたるみ１ａは、手首の曲げ伸ばしにより手袋本体１の背側の生地に作用する近位遠位方向の張力を緩和し、手首の曲げ伸ばしが第４の歪センサ５の検出値に誤差を招来することを防止する。
【００２４】
手袋本体１を形成する生地の幅１ｃｍあたりの１０％伸び荷重の下限としては、０．０１Ｎ／ｃｍが好ましく、０．０２Ｎ／ｃｍがより好ましく、０．０３Ｎ／ｃｍがさらに好ましい。一方、手袋本体１を形成する生地の幅１ｃｍあたりの１０％伸び荷重の上限としては、０．５Ｎ／ｃｍが好ましく、０．２５Ｎ／ｃｍがより好ましく、０．１Ｎ／ｃｍがさらに好ましい。手袋本体１を形成する生地の幅１ｃｍあたりの１０％伸び荷重が前記下限に満たない場合、当該データグローブの着用者の手に対する密着性が不足し、歪センサ２，３，４，５，６の位置がずれることにより検出精度が不十分となるおそれがある。逆に、手袋本体１を形成する生地の幅１ｃｍあたりの１０％伸び荷重が前記上限を超える場合、歪センサ２，３，４，５，６が指の曲げ伸ばしに対する抵抗力を生じることにより当該データグローブの着用者に違和感を与えるおそれがある。
【００２５】
ここで、「１０％伸び荷重」とは、測定対象物を１．１倍の長さに延伸するために必要とされる荷重（張力）を意味する。
【００２６】
＜歪センサ＞
歪センサ２，３，４，５，６は、帯状に形成され、その長手方向の伸縮により電気的特性（例えば抵抗値、静電容量等）が変化することで、手袋本体１の伸縮を電気的に検出する。
【００２７】
これらの歪センサ２，３，４，５，６は着用者に違和感を与え難いよう、手袋本体１を構成する生地の表面側に積層されることが好ましい。
【００２８】
第１の歪センサ２は、第１指の中手指節間関節（ＭＰ関節）の背側に相当する領域の外面側に近位遠位方向に延在するよう配設される。つまり、第１の歪センサ２は、遠位端が基節骨の背側に配置され、近位端が中手骨の背側に配置されるよう手袋本体１に貼着される。具体的には、第１の歪センサ２は、手袋本体１の腹側生地の側縁近傍に、腹側生地と背側生地との縫い目と略平行に配設される。なお、第１指の背側とは、中手指節間関節及び指節間関節の曲げ伸ばし方向外側（伸ばす側）を意味し、当該データグローブ着用時には、第２指から第５指の背側とは異なる向きとなる。よって、この第１の歪センサ２は、第１指の中手指節間関節を曲げると伸長し、第１指の中手指節間関節を伸ばすと収縮する。従って、第１の歪センサ２は、手袋本体１の近位遠位方向の伸縮を検出するよう構成されている。
【００２９】
第２の歪センサ３は、第１指の中手指節間関節の背側に相当する領域の外面側に左右方向に延在するよう配設される。より詳しくは、第２の歪センサ３は、一端が第１指の中手指節間関節と第２指の中手骨との間に相当する位置に配置され、他端が第１指の中手指節間関節の第２指と反対側に配置される。このため、第２の歪センサ３は、主に手袋本体１の背側生地上に延在し、前記他端が手袋本体１の腹側生地の背側生地との合わせ目近傍の腹側生地上に位置するよう配設される。この第２の歪センサ３は、第１指の中手骨が掌側に搖動すると伸長し、甲側に搖動すると収縮する。従って、第２の歪センサ３は、手袋本体１の左右方向の伸縮を検出するよう構成されている。
【００３０】
第１の歪センサ２及び第２の歪センサ３は、互いに交差するよう配設されることが好ましい。また、第１の歪センサ２及び第２の歪センサ３の交差角としては、略垂直が好ましい。第１の歪センサ２及び第２の歪センサ３は、一方の端部に他方が重なるよう、Ｔ字状又はＬ字状に配置されてもよい。
【００３１】
第３の歪センサ４は、第２指から第５指の近位指節間関節（ＰＩＰ関節：指の第２関節）の背側に相当する領域の外面側に配設される。つまり、第３の歪センサ４は、遠位端が中節骨の背側に配置され、近位端が基節骨の背側に配置されるよう手袋本体１に貼着される。この第３の歪センサ４は、対応する指の近位指節間関節を曲げると伸長し、対応する指の近位指節間関節を伸ばすと収縮する。従って、第３の歪センサ４は、手袋本体１の近位遠位方向の伸縮を検出するよう構成されている。
【００３２】
第４の歪センサ５は、第２指から第５指の背側の中手指節間関節の背側に相当する領域に配設、つまり遠位端が基節骨の背側に配置され、近位端が中手骨の背側に配置されるよう手袋本体１に貼着される。この第４の歪センサ５は、対応する指の中手指節間関節を曲げると伸長し、対応する指の中手指節間関節を伸ばすと収縮する。従って、第４の歪センサ５は、手袋本体１の近位遠位方向の伸縮を検出するよう構成されている。
【００３３】
第５の歪センサ６は、第２指及び第５指の腹側に基節骨に沿うように配設される。この第５の歪センサ６は、対応する指を背側に反らせると伸長し、対応する指を腹側に戻すと収縮する。従って、第５の歪センサ６は、手袋本体１の近位遠位方向の伸縮を検出するよう構成されている。なお、第５の歪センサ６は、中手指節間関節及び近位指節間関節の折り曲げ動作を阻害しないよう、中手指節間関節及び近位指節間関節に重ならないよう配設される。
【００３４】
これら歪センサ２，３，４，５，６としては、伸縮により抵抗値が変化する歪抵抗素子を用いることができ、特に、カーボンナノチューブ（以下、ＣＮＴということがある）を用いたＣＮＴ歪センサが好適に用いられる。
【００３５】
前記ＣＮＴ歪センサは、例えば手袋本体１に貼着される伸縮可能なシート状の基材と、この基材の表面側に積層されるＣＮＴ膜と、前記ＣＮＴ膜を保護する保護膜とを備える構成とすることができる。
【００３６】
前記ＣＮＴ歪センサの基材の平均厚さとしては、例えば１０μｍ以上５ｍｍ以下とすることができる。
【００３７】
この基材の材質としては、柔軟性を有する限り特に限定されず、例えば合成樹脂、ゴム、不織布、変形可能な形状又は材質の金属や金属化合物等を挙げることができる。
【００３８】
前記合成樹脂としては、例えばフェノール樹脂（ＰＦ）、エポキシ樹脂（ＥＰ）、メラミン樹脂（ＭＦ）、尿素樹脂（ユリア樹脂、ＵＦ）、不飽和ポリエステル（ＵＰ）、アルキド樹脂、ポリウレタン（ＰＵＲ）、熱硬化性ポリイミド（ＰＩ）、ポリエチレン（ＰＥ）、高密度ポリエチレン（ＨＤＰＥ）、中密度ポリエチレン（ＭＤＰＥ）、低密度ポリエチレン（ＬＤＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、アクリロニトリルブタジエンスチレン樹脂（ＡＢＳ）、アクリロニトリルスチレン樹脂（ＡＳ）、ポリメチルメタアクリル（ＰＭＭＡ）、ポリアミド（ＰＡ）、ポリアセタール（ＰＯＭ）、ポリカーボネート（ＰＣ）、変性ポリフェニレンエーテル（ｍ−ＰＰＥ）、ポリブチレンテレフタレート（ＰＢＴ）、ポリエチレンテレフタレート（ＰＥＴ）、環状ポリオレフィン（ＣＯＰ）等を挙げることができる。
【００３９】
前記ゴムとしては、例えば天然ゴム（ＮＲ）、ブチルゴム（ＩＩＲ）、イソプレンゴム（ＩＲ）、エチレン・プロピレンゴム（ＥＰＤＭ）、ブタジエンゴム（ＢＲ）、ウレタンゴム（Ｕ）、スチレン・ブタジエンゴム（ＳＢＲ）、シリコーンゴム（Ｑ）、クロロプレンゴム（ＣＲ）、クロロスルフォン化ポリエチレンゴム（ＣＳＭ）、アクリロニトリルブタジエンゴム（ＮＢＲ）、塩素化ポリエチレン（ＣＭ）、アクリルゴム（ＡＣＭ）、エピクロルヒドリンゴム（ＣＯ，ＥＣＯ）、フッ素ゴム（ＦＫＭ）、ポリジメチルシロキサン（ＰＤＭＳ）等を挙げることができる。これらのゴムの中でも強度等の点から天然ゴムが好ましい。
【００４０】
また、前記ＣＮＴ歪センサのＣＮＴ膜は、正面視矩形形状を有している。このＣＮＴ膜の長手方向の両端部分には電極が形成され、この電極に配線８が導電性接着剤によって接合される。
【００４１】
このＣＮＴ膜は、多数のＣＮＴ繊維を含有する樹脂組成物で形成される。具体的には、ＣＮＴ膜は、一方向に配向する複数のＣＮＴ繊維からなる複数のＣＮＴ繊維束と、この複数のＣＮＴ繊維束の周面を被覆する樹脂層とを有する。このようなＣＮＴ膜に近位遠位方向に延伸する歪みが加わった場合に、ＣＮＴ繊維同士の接触具合に変化が起こり、歪センサとして抵抗変化を得ることができる。なお、より効率良く歪みを検出するには、ＣＮＴ膜中のＣＮＴ繊維が伸縮方向に配向されていることが好ましい。
【００４２】
ＣＮＴ膜の無荷重状態での平均厚さの下限としては、１μｍが好ましく、１０μｍがより好ましい。一方、ＣＮＴ膜の平均厚さの上限としては、１ｍｍが好ましく、０．５ｍｍがさらに好ましい。ＣＮＴ膜の平均厚さが前記下限に満たない場合、このような薄膜の形成が困難になるおそれや、伸長時に抵抗が上昇し過ぎるおそれがある。逆に、ＣＮＴ膜の平均厚さが前記上限を超える場合、伸縮性が不十分となるおそれや、伸縮に対する抵抗変化、つまり検出感度が不十分となるおそれや、着用者に違和感を与えるおそれがある。
【００４３】
なお、ＣＮＴ膜は、ＣＮＴ繊維を平面状に略平行に配置した単層構造からなってもよいし、多層構造からなってもよい。但し、ある程度の導電性を確保するためには、多層構造とすることが好ましい。
【００４４】
ＣＮＴ繊維としては、単層のシングルウォールナノチューブ（ＳＷＮＴ）や、多層のマルチウォールナノチューブ（ＭＷＮＴ）のいずれも用いることができるが、導電性及び熱容量等の点から、ＭＷＮＴが好ましく、直径１．５ｎｍ以上１００ｎｍ以下のＭＷＮＴがさらに好ましい。
【００４５】
また、前記ＣＮＴ歪センサの樹脂層は、樹脂を主成分とし、複数のＣＮＴ繊維束の周面を被覆する層である。樹脂層の主成分としては、前記基板の材料として例示した合成樹脂やゴム等を挙げることができ、これらの中でもゴムが好ましい。ゴムを用いることで、大きな歪みに対してもＣＮＴ繊維の十分な保護機能を発揮することができる。
【００４６】
このようなＣＮＴ歪センサによって形成される歪センサ２，３，４，５，６の無荷重状態での平均幅の下限としては、０．１ｍｍが好ましく、０．５ｍｍがより好ましい。一方、歪センサ２，３，４，５，６の平均幅の上限としては、１０ｍｍが好ましく、５ｍｍがより好ましい。歪センサ２，３，４，５，６の平均幅が前記下限に満たない場合、検出感度が不十分となるおそれや、指の曲げ伸ばしにより歪センサ２，３，４，５，６が断裂するおそれがある。逆に、歪センサ２，３，４，５，６の平均幅が前記上限を超える場合、着用者に違和感を与えるおそれがある。
【００４７】
また、歪センサ２，３，４，５，６の無荷重状態での平均長さの下限としては、３ｍｍが好ましく、５ｍｍがより好ましい。一方、歪センサ２，３，４，５，６の平均長さの上限としては、６０ｍｍが好ましく、３０ｍｍがより好ましい。歪センサ２，３，４，５，６の平均長さが前記下限に満たない場合、関節の背側に正確に配置することができず、関節の曲げ伸ばしによる歪センサ２，３，４，５，６の伸縮が不十分となり、指の動きを正確に検出できないおそれがある。逆に、歪センサ２，３，４，５，６の平均長さが前記上限を超える場合、第３の歪センサ４と第４の歪センサ５とが干渉して、近位遠位方向に並べて配設できないおそれがある。なお、歪センサ２，３，４，５，６は、長さが互いに異なってもよい。第３の歪センサ４の平均長さ及び第４の歪センサ５の長さが指毎に異なってもよい。
【００４８】
また、歪センサ２，３，４，５，６の１０％伸び荷重の下限としては、０．０１Ｎが好ましく、０．０３Ｎがより好ましく、０．０５Ｎがさらに好ましい。一方、歪センサ２，３，４，５，６の１０％伸び荷重の上限としては、０．５Ｎが好ましく、０．３Ｎがより好ましく、０．２Ｎがさらに好ましい。歪センサ２，３，４，５，６の１０％伸び荷重が前記下限に満たない場合、対応する指の曲げ伸ばし以外の要因で伸縮することにより検出精度が不十分となるおそれがある。逆に、歪センサ２，３，４，５，６の１０％伸び荷重が前記上限を超える場合、伸長時の反力が大きくなり、着用者に違和感を与えるおそれがある。
【００４９】
それぞれの歪センサ２，３，４，５，６の無荷重状態での抵抗値の下限としては、例えば１０Ωが好ましく、１００Ωがより好ましい。一方、歪センサ２，３，４，５，６の無荷重状態での抵抗値の上限としては、１００ｋΩが好ましく、１０ｋΩがより好ましい。歪センサ２，３，４，５，６の無荷重状態での抵抗値が前記下限に満たない場合、伸びを検出するための電流が大きくなり消費電力が大きくなるおそれがある。逆に、歪センサ２，３，４，５，６の無荷重状態での抵抗値が前記上限を超える場合、検出回路の電圧が高くなり、小型化及び省電力化が困難となるおそれがある。
【００５０】
それぞれの歪センサ２，３，４，５，６の伸長による抵抗値の変化率は、十分な検出精度が得られるよう適宜選択されるものであるが、歪センサ２，３，４，５，６の無荷重状態での抵抗値に対する１０％延伸した状態での抵抗値の比としては、例えば２倍以上２０倍以下とされる。
【００５１】
手袋本体１への歪センサ２，３，４，５，６の貼着は、手袋本体１及び歪センサ２，３，４，５，６の伸縮を阻害しない接着剤が用いられる。このような接着剤としては、例えば湿気硬化型ポリウレタン接着剤等が挙げられる。
【００５２】
＜フレキシブルプリント回路板＞
フレキシブルプリント回路板７は、可撓性を有する印刷回路基板であり、配線８を不図示のコンピュータ等に接続するためのコネクタ７ａが近位端側に実装されている。このフレキシブルプリント回路板７は、コネクタ７ａが着用者の手の甲に圧接されて違和感を与え難いよう、遠位端のみが手袋本体１に固定されている。
【００５３】
＜配線＞
配線８は、手袋本体１の表面に配設され、歪センサ２，３，４，５，６とフレキシブルプリント回路板７とを電気的に接続する。この配線８は、歪センサ２，３，４，５，６の一端をそれぞれフレキシブルプリント回路板７に接続する検出配線部８ａと、歪センサ２，３，４，５，６の他端を相互に接続すると共に一括してプリント回路板７に接続するグランド配線部８ｂとを有する。具体的には、前記検出配線部８ａは、第１の歪センサ２の近位端、第２の歪センサ３の内側端、第３の歪センサ４の遠位端、第４の歪センサ５の近位端、第５の歪センサ６の遠位端にそれぞれ接続されている。
【００５４】
これらの配線８は、導電性を有する導電糸（糸状体）により形成することができる。配線８を構成する導電糸としては、鉄等の金属製の導電糸を用いることができ、この金属製の導電糸としてはステンレス糸が好適に用いられる。ステンレス糸によれば、電気抵抗が小さく、また当該データグローブを洗濯した場合にあっても電気抵抗の変化が比較的少ない利点を有する。なお、この配線８を構成する糸としては、絶縁性の糸に導電性材料を塗工した糸や、導電性材料を混紡して形成した糸を用いることも可能である。
【００５５】
この配線８を構成する糸は、１０ｃｍあたりの電気抵抗が１００Ω未満であることが好ましく、５０Ω未満であることがさらに好ましい。これにより、配線８の電気抵抗を小さくすることができ、歪センサ２，３，４，５，６からの検知信号を的確にフレキシブルプリント回路板７に伝達することができる。なお、「１０ｃｍあたりの抵抗値」とは、５Ｖの電圧をかけたときの糸１０ｃｍ間の抵抗値であり、汎用のテスターを用いて測定することができる。
【００５６】
配線８は、伸縮性を有し、手袋本体１の変形に追従して変形するよう設けられている。具体的には、配線８は、導電性を有する糸を伸縮縫いすることによって形成されている。なお、「伸縮縫い」とは、ＪＩＳ−Ｂ−９００３（１９９９）で規定されるように、「伸縮性のある布地を縫ったとき、布地の伸び縮みによって、縫い目が切れたり、緩んだりしないように縫うこと」を意味する。具体的には、本実施形態の配線８は、カバーステッチ（片面飾り縫い）等によって形成可能である。
【００５７】
この配線８の１０％伸び荷重の上限としては、０．１Ｎが好ましく、０．０５Ｎがより好ましい。一方、この配線８の１０％伸び荷重の下限としては、特に限定されない。配線８の１０％伸び荷重が前記上限を超える場合、手袋本体１の伸縮を阻害して、着用者に違和感を与えるおそれや、手袋本体１の伸縮を不均一にすることにより歪センサ２，３，４，５，６の位置ずれを招き検出精度が不十分となるおそれがある。
【００５８】
また、本発明の配線８は、手袋本体１に直接導電糸を縫い付けて形成してもよいが、予め伸縮性を有する別の布帛に導電糸を縫い付けたものを、接着剤で手袋本体１に接着することで配設してもよい。配線８を形成した布帛を接着する接着剤としては、例えばホットメルト接着剤等を用いることができる。
【００５９】
＜剥離防止材＞
剥離防止材９は、歪センサ２，３，４，５，６の端部に形成した電極及びこの電極に接続された配線８を覆うよう配設され、配線８が歪センサ２，３，４，５，６の電極から剥離することを防止する。このような剥離防止材９としては、例えばニット材や織物等が用いられ、接着剤で電極と配線の固定部を覆うように手袋本体１に接着される。
【００６０】
＜防伸部＞
この防伸部１０は、手袋本体１の第２指から第５指の背側の近位指節間関節の間に相当する部分、第２指の近位指節間関節の第１指側の側面に相当する部分、及び第５指の近位指節間関節の第４指と反対側の側面に相当する部分に、それぞれ近位遠位方向に延在するよう配設されている。換言すると、第４の歪センサ５は、それぞれ防伸部１０の間に配設されている。
【００６１】
また、防伸部１０は、手袋本体１に積層されることにより、手袋本体の伸長を部分的に抑制する。このため、防伸部１０は、当該データグローブの着用者が中手指節間関節を曲げたときに皮膚の伸縮量が小さくなる中手指節間関節の間の谷の部分、すなわち掌における指と指との間に該当する部分にそれぞれ位置決めされる。これにより、防伸部１０の間に配置される第４の歪センサ５を中手指節間関節の上に比較的正確に配置することができる。この防伸部１０の１０％伸び荷重としては、歪センサ２，３，４，５，６よりも大きいことが好ましい。
【００６２】
各防伸部１０は、近位端が隣接する第４の歪センサ５よりも近位側に位置し、かつ遠位端が隣接する第４の歪センサ５よりも遠位側に位置する。これにより、手袋本体１の生地に左右方向に作用する力が、第４の歪センサ５に近位遠位方向の張力として作用することを防止できる。
【００６３】
また、当該データグローブにおいて、防伸部１０は手袋本体１の内面に積層されている。これにより、防伸部１０は着用者の手の甲に対して手袋本体１が近位遠位方向に位置ずれすることを防止する滑り止めとしても機能する。
【００６４】
さらに、防伸部１０は配線８の重畳して配設されている部分に過剰な力が作用して断裂することを防止する作用も有する。
【００６５】
防伸部１０を形成する材料としては、配線８と同様の材料であってもよいし、合成ゴム、天然ゴム等であってもよい。防伸部１０は、これらの材料を手袋本体１に塗布することによって形成してもよく、帯状に形成したものを接着剤で接着してもよい。
【００６６】
この防伸部１０の左右方向の平均幅の下限としては０．５ｍｍが好ましく、１ｍｍがより好ましい。一方、前記防伸部１０の平均幅の上限としては、１０ｍｍが好ましく、５ｍｍがより好ましい。前記防伸部１０の平均幅が前記下限に満たない場合、防伸部１０の強度が不十分となり、第４の歪センサ５の左右方向の位置ずれを十分抑制できないおそれがある。逆に、前記防伸部１０の平均幅が前記上限を超える場合、手袋本体１の伸縮を過度に阻害して着用者に違和感を与えるおそれや、第４の歪センサ５の伸縮を阻害することにより検出感度が不十分となるおそれがある。
【００６７】
防伸部１０の平均厚さの下限としては、０．０５ｍｍが好ましく、０．１ｍｍがより好ましい。一方、防伸部１０の平均厚さの上限としては、２ｍｍが好ましく、１ｍｍがより好ましい。防伸部１０の平均厚さが前記下限に満たない場合、手袋本体１の伸縮を十分に抑制できないおそれがある。逆に、防伸部１０の平均厚さが前記上限を超える場合、着用者に違和感を与えるおそれがある。
【００６８】
防伸部１０の１０％伸び荷重の下限としては、０．２Ｎが好ましく、０．５Ｎがより好ましい。一方、防伸部１０の１０％伸び荷重の上限としては、５Ｎが好ましく、２Ｎがより好ましい。防伸部１０の１０％伸び荷重が前記下限に満たない場合、手袋本体１の伸縮を十分に抑制できないおそれがある。逆に、防伸部１０の１０％伸び荷重が前記上限を超える場合、着用者に違和感を与えるおそれがある。
【００６９】
＜接続部＞
接続部１１は、手袋本体１の内面に、前記防伸部１０間を、好ましくは防伸部１０の近位端近傍部分の間を接続するよう左右方向に延伸して配設されている。この接続部１１は、手袋本体１の近位遠位方向の伸縮を部分的に抑制すると共に、着用者の手の甲に対する滑り止めとして機能する。接続部１１の１０％伸び荷重としては、歪センサ２，３，４，５，６よりも大きいことが好ましい。
【００７０】
この接続部１１は、防伸部１０と同様の材料及び同様の方法で形成することができる。
【００７１】
この接続部１１を配設することによって、いずれかの１本の指が動いた際に隣の指の第３の歪センサ４又は第４の歪センサ５が、手袋本体１の生地の動きにつられて位置がずれてしまうことを防止し、指の動きの検出精度を向上することができる。また、接続部１１は、防伸部１０の間隔を一定に保ち、防伸部１０間の手袋本体１の生地に左右方向の張力が作用して第４の歪センサ５の伸縮に影響することを抑制する。すなわち、接続部１１は防振部７を接続して束ねることによって、各指の動きによる第３又は第４の歪センサ４，５の位置ずれや、意図しない指の第３又は第４の歪センサ４，５の伸縮による検出誤差の発生を抑制する。
【００７２】
この接続部１１の左右方向の平均幅の下限としては０．５ｍｍが好ましく、１ｍｍがより好ましい。一方、前記接続部１１の平均幅の上限としては、１０ｍｍが好ましく、５ｍｍがより好ましい。前記接続部１１の平均幅が前記下限に満たない場合、接続部１１の強度が不十分となり、検出精度を十分に向上できないおそれがある。逆に、前記接続部１１の平均幅が前記上限を超える場合、手袋本体１の伸縮を過度に阻害して着用者に違和感を与えるおそれがある。
【００７３】
接続部１１の平均厚さの下限としては、０．０５ｍｍが好ましく、０．１ｍｍがより好ましい。一方、接続部１１の平均厚さの上限としては、２ｍｍが好ましく、１ｍｍがより好ましい。接続部１１の平均厚さが前記下限に満たない場合、手袋本体１の伸縮を十分に抑制できないおそれがある。逆に、接続部１１の平均厚さが前記上限を超える場合、着用者に違和感を与えるおそれがある。
【００７４】
接続部１１の１０％伸び荷重の下限としては、０．２Ｎが好ましく、０．５Ｎがより好ましい。一方、接続部１１の１０％伸び荷重の上限としては、５Ｎが好ましく、２Ｎがより好ましい。接続部１１の１０％伸び荷重が前記下限に満たない場合、手袋本体１の伸縮を十分に抑制できないおそれがある。逆に、接続部１１の１０％伸び荷重が前記上限を超える場合、着用者に違和感を与えるおそれがある。
【００７５】
＜利点＞
当該データグローブは、第１指の中手指節間関節の背側に配設した第１の歪センサ２及び第２の歪センサ３を有するので、手袋本体１の第１指の中手指節間関節の背側に相当する領域の２方向の伸びを測定することにより、第１指の曲げ伸ばしと、左右方向の搖動とを検出することができる。従って、当該データグローブは、第１指の３次元の動きを比較的正確に検出することができる。
【００７６】
このように、第１の歪センサ２及び第２の歪センサ３が第１指に配設されることによって、関節の背腹方向の曲げ伸ばしに加えて、背腹方向に直交する左右方向に搖動することが多い第１指の動きをより正確に検出することができ、ひいてはて全体の動きをより正確に把握することができる。
【００７７】
具体的に説明すると、当該データグローブを用いて鍵盤楽器の演奏時の手の動作を検出した場合、第２の歪センサ３が検出する第１指の左右方向の搖動により、打鍵を検出することができ、第１の歪センサ２が検出する中手指節間関節の曲げ伸ばしにより、第１指が配置される鍵盤の位置の変化、例えば第１指が第２指から第５指の下側を通過する指くぐり動作等を把握することができる。なお、遠位指節間関節は近位指節間関節と略連動して動作するので、個別にセンサを設けなくても、第２の歪センサ３が検出する近位指節間関節の動きから類推することができる。
【００７８】
当該データグローブは、第２指から第５指の近位指節間関節及び中手指節間関節の背側に配置される第３の歪センサ４及び第４の歪センサ５を備えることにより、２指から第５指の動きも比較的正確に検出できる。
【００７９】
さらに、当該データグローブは、第２指及び第５指の腹側の基節骨に相当する領域に第５の歪センサ６を備えることによって、第２指及び第５指を外側に反らせる動き、つまり中手指節間関節を外側に反らせる動きを検出することができる。
【００８０】
また、当該データグローブでは、歪センサ２，３，４，５，６が帯状に形成されることによって、歪センサ２，３，４，５，６が薄く、手に密着できるので、着用者に違和感を与え難い。特に、歪センサ２，３，４，５，６は、一方向に配向する複数のＣＮＴ繊維からなる複数のＣＮＴ繊維束と、この複数のＣＮＴ繊維束の周面を被覆する樹脂層とを有するＣＮＴ膜を有することで、薄型で手に密着できると共に反力が小さいので、着用者に違和感を与え難い。このため、当該データグローブを着用してもスポーツや楽器演奏等における繊細な動作を通常通りに行うことができるため、手の自然な動きを比較的正確に検出してデータ化することができる。
【００８１】
また、当該データグローブでは、第１の歪センサ２と第２の歪センサ３とが交差するよう配設されることで、手袋本体１の略同じ領域の異なる２方向の伸縮を検出することができ、指の動きをより正確に検出できる。特に、第１の歪センサ２及び第２の歪センサ３の交差角が略垂直であることによって、背腹方向の曲げ伸ばしと左右方向の搖動とを比較的高精度に検出することができる。
【００８２】
［第２実施形態］
図４のデータグローブは、第１指の動きを検出することに特化したものである。当該データグローブは、手袋本体２０と、手袋本体２０の第１指の中手指節間関節近傍に相当する領域に配設される第１の歪センサ２及び第２の歪センサ３とを備える。また、当該データグローブは、フレキシブルプリント回路板７と、歪センサ２，３及びフレキシブルプリント回路板７間を接続する配線８とを備える。
【００８３】
当該データグローブの手袋本体２０は、公知の親指用サポーターのように第１指のみを収容するものであり、第１指を収容する指収容部２１と手首の周囲に装着される固定部２２とを有する。
【００８４】
このため、第１の歪センサ２及び第２の歪センサ３は、指収容部２１に配設され、フレキシブルプリント回路板７は、固定部２２の背側に配設される。
【００８５】
当該データグローブの手袋本体２０、第１の歪センサ２、第２の歪センサ３、フレキシブルプリント回路板７及び配線８の前記以外の詳細な構成は、図１乃至図３のデータグローブにおける手袋本体２０、第１の歪センサ２、第２の歪センサ３、フレキシブルプリント回路板７及び配線８と同様である。このため、これらの構成についての重複する説明は省略する。
【００８６】
当該データグローブを使用して第１指の動きを検出することにより、被検者の動きが腱鞘炎や突き指の起こしやすいものであるか否かを判定することもできる。
【００８７】
［第３実施形態］
図５のデータグローブは、第１指、第２指及び第５指の動きを検出するものである。当該データグローブは、手袋本体１と、手袋本体１の第１指、第２指及び第５指の背側の中手指節間関節近傍に相当する領域にそれぞれ配設される第１の歪センサ２，２ａ，２ｂ及び第２の歪センサ３，３ａ，３ｂと、フレキシブルプリント回路板７と、歪センサ２，２ａ，２ｂ，３，３ａ，３ｂ及びフレキシブルプリント回路板７間を接続する配線８とを備える。
【００８８】
当該データグローブにおける手袋本体１、第１の歪センサ２、第２の歪センサ３及びフレキシブルプリント回路板７は、図１のデータグローブにおける手袋本体１、第１の歪センサ２、第２の歪センサ３及びフレキシブルプリント回路板７と同様である。このため、これらの構成についての重複する説明は省略する。
【００８９】
第２指及び第５指の第１の歪センサ２ａ，２ｂは、それぞれ手袋本体１の近位遠位方向の伸縮を主に検出する。これにより、これら第１の歪センサ２ａ，２ｂは、第２指及び第５指の中手指節間関節の曲げ伸ばしを検出する。
【００９０】
一方、第２指及び第５指の第２の歪センサ３ａ，３ｂは、それぞれ手袋本体１の近位遠位方向に直交する左右方向の伸縮を主に検出する。これにより、これら第２の歪センサ３ａ，３ｂは、第２指及び第５指の中手指節間関節での左右方向の搖動を検出する。このような第２指及び第５指の左右方向の搖動を検出するために、第２の歪センサ３ａ，３ｂは、中手指節間関節の中央よりも遠位側に配設されることが好ましい。
【００９１】
当該データグローブの配線８は、歪センサ２，２ａ，２ｂ，３，３ａ，３ｂの一端をそれぞれフレキシブルプリント回路板７に接続する検出配線部８ａと、歪センサ２，２ａ，２ｂ，３，３ａ，３ｂの他端をプリント回路板７に接続するグランド配線部８ｂとを有する。具体的には、第一の歪センサ２，２ａ，２ｂの遠位端をそれぞれ起点とするグランド配線部８ｂが、同じ指の第２の歪センサ３，３ａ，３ｂの他端を経由してプリント回路板７にそれぞれ延伸している。
【００９２】
本実施形態では、手の指を揃えたり指の間を拡げたりする運動を、特に第１指、第２指及び第５指について詳しく検出することができる。第３指及び第４指の間の開閉については、第２指及び第５指の動きから類推できる。
【００９３】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらはすべて本発明の範囲に属するものと解釈されるべきである。
【００９４】
例として、当該データグローブにおいて、第１の歪センサ及び第２の歪センサは、第３指又は第４指の中手指節間関節近傍に相当する領域に配設されてもよい。つまり、本発明では、少なくともいずれか１指の中手指節間関節近傍に相当する領域に、近位遠位方向の伸縮を主に検出する歪センサと、左右方向の伸縮を主に検出する歪センサとを備えるものであればよい。例えば図１の実施形態の第４の歪センサの近傍に同じ領域の左右方向の伸縮を検出するさらなる歪センサを配設した場合、この第４の歪センサ及びさらなる歪センサは、本発明における第１の歪センサ及び第２の歪センサに該当する。従って、歪センサの前に冠した番号は便宜的なものに過ぎない。なお、「主に検出する」とは、検出値を企図する方向とこれに直交する方向の成分とに分離した場合、企図する方向の成分の方が大きいこと、好ましくは直交方向成分の１．５倍以上であることを意味する。
【００９５】
また、当該データグローブは、第３の歪センサ、第４の歪センサ及び第５の歪センサの一部又は全部を有しないものであってもよい。また、当該データグローブにおいて、防伸部及び接続部も省略できる。
【００９６】
また、当該データグローブにおいて、各歪センサは、手袋本体の伸びを検出できるものであればよく、帯型以外に例えば糸状等の形状を有するものであってもよく、ＣＮＴ膜を有しないセンサであってもよい。糸状のＣＮＴ歪センサとしては、複数のＣＮＴ繊維を一方向に配向して糸状に配列したＣＮＴ繊維束の外周を弾性を有する樹脂で被覆したものが使用できる。また、ＣＮＴ歪センサ以外の歪センサとしては、手袋本体の伸縮を検出でき、適度な伸縮性及び可撓性を有するものであればよく、帯状又は紐状に形成されるものであることが好ましい。
【００９７】
また、当該データグローブにおいて、第１の歪センサ及び第２の歪センサは、互いに交差しないよう分離して配設されてもよく、両者間の角度が略垂直でなくてもよい。具体的には、第２の歪センサの他端（第２指から遠い側）を第１の歪センサよりも遠位側の基節骨上に配置してもよく、第２の歪センサの他端を第１の歪センサよりも近位側の中手骨上に配置してもよい。また、第１の歪センサの近位側の一端を第２の歪みセンサよりも遠位側へ配置してもよい。具体的には、近位指節間関節に第１の歪みセンサの位置がかかることで、指先の上下と左右方向の動きを検出することができる。
【００９８】
当該データグローブにおいて、手袋本体は、指収容部の先端が閉じられており、着用者の指先を覆うものであってもよい。
【００９９】
また、当該データグローブは、フレキシブルプリント回路板を介さず配線を外部の処理装置に接続するよう構成されてもよく、フレキシブルプリント回路板に信号を処理する演算装置、無線通信装置等を実装してもよい。
【０１００】
当該データグローブにおいて、手袋本体の背側生地内面の近位指節間関節の歪センサの両端部に相当する位置に滑り止め層を形成してもよい。これにより、測定途中における近位指節間関節の歪センサの近位遠位方向の位置ずれを防止して、近位指節間関節の動きの検出精度を向上できる。滑り止め層の材質としては、例えば合成ゴム、天然ゴム等を用いることができる。
【０１０１】
当該データグローブは、中手指節間関節近傍に相当する部分以外にも、指の左右方向の搖動を検出するために、手袋本体の左右方向の伸縮を検出する歪センサを備えてもよい。この場合、関節の動きによって皮膚に張力が作用する位置、つまり手袋本体が伸縮する位置に歪センサを設けることが好ましい。
【０１０２】
歪センサは、手袋本体に貼着する他、手袋本体を構成する生地に歪センサを構成する材料、例えばＣＮＴを含む塗料等を塗布することにより形成してもよい。
【０１０３】
防伸部間を接続する接続部は、防伸部の近位端に限らず他の位置を接続してもよい。また、隣接する防伸部間を複数の接続部によって接続してもよい。
【産業上の利用可能性】
【０１０４】
本発明のデータグローブは、スポーツ選手や楽器奏者の手の動きを解析するために好適に使用することができる。
【符号の説明】
【０１０５】
１  手袋本体
１ａ  たるみ
２，２ａ，２ｂ，３，３ａ，３ｂ，４，５，６  歪センサ
７  フレキシブルプリント回路板
７ａ  コネクタ
８  配線
８ａ  検出配線部
８ｂ  グランド配線部
９  剥離防止材
１０  防伸部
１１  接続部
２０  手袋本体
２１  指収容部
２２  固定部
【図１】
2016125931.tif 000003
【図２】
2016125931.tif 000004
【図３】
2016125931.tif 000005
【図４】
2016125931.tif 000006
【図５】
2016125931.tif 000007